【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
画像を鮮鋭化するために当該画像を構成する画素データを補正する補正手段と、
補正対象の画素データが表す色を検出する検出手段と、
前記補正対象の画素データが、近接する画素間で画素データが予め定められた程度以上に変動しているエッジ部の画素データであるか否かを判定する判定手段と、
を備え、
前記補正手段は、前記補正対象の画素データが前記エッジ部の画素データである場合は第１補正パラメータを用いて前記補正対象の画素データを補正し、そうでない場合は前記補正対象の画素データが表す色に基づいて決定される第２補正パラメータを用いて前記補正対象の画素データを補正する
ことを特徴とする画像処理装置。
【請求項２】
前記第１補正パラメータ、及び前記第２補正パラメータはそれぞれ、ラプラシアンフィルタのフィルタ係数、及び倍率を含み、
前記補正手段は、前記補正対象の画素データを中心とする複数の画素データを取得し、当該取得した複数の画素データに前記フィルタ係数を持つラプラシアンフィルタを適用することにより補正値を取得し、当該取得した補正値に前記倍率を乗じて前記補正対象の画素データに加える
ことを特徴とする請求項１に記載の画像処理装置。
【請求項３】
前記第１補正パラメータ、及び前記第２補正パラメータはそれぞれ、閾値を更に含み、
前記補正手段は、前記取得した補正値の絶対値が前記閾値以上の場合にのみ、当該取得した補正値に前記倍率を乗じて前記補正対象の画素データに加える
ことを特徴とする請求項２に記載の画像処理装置。
【請求項４】
前記補正手段は、前記補正対象の画素データの輝度成分を補正し、
前記判定手段は、前記近接する画素間で画素データの輝度成分が予め定められた程度以上に変動している場合に、前記補正対象の画素データが前記エッジ部の画素データであると判定する
ことを特徴とする請求項１乃至３のいずれか１項に記載の画像処理装置。
【請求項５】
前記補正手段は、前記補正対象の画素データの色差成分を補正し、
前記判定手段は、前記近接する画素間で画素データの色差成分が予め定められた程度以上に変動している場合に、前記補正対象の画素データが前記エッジ部の画素データであると判定する
ことを特徴とする請求項１乃至３のいずれか１項に記載の画像処理装置。
【請求項６】
画像を鮮鋭化するために当該画像を構成する画素データを補正する補正手段と、
補正対象の画素データが表す色を検出する検出手段と、
を備え、
前記補正手段は、
前記補正対象の画素データを中心とする複数の画素データを取得し、当該取得した複数の画素データに第１フィルタ係数を持つラプラシアンフィルタを適用することにより第１補正値を取得し、当該第１補正値の絶対値が第１閾値以上の場合に、前記第１補正値に第１倍率を乗じて前記補正対象の画素データに加える第１補正手段と、
前記補正対象の画素データを中心とする複数の画素データを取得し、当該取得した複数の画素データのうち前記補正対象の画素データと異なる色を表す画素データを前記補正対象の画素データに置換した後、当該複数の画素データに第２フィルタ係数を持つラプラシアンフィルタを適用することにより第２補正値を取得し、当該第２補正値の絶対値が前記第１閾値より小さい第２閾値以上の場合に、前記第２補正値に第２倍率を乗じて前記補正対象の画素データに加える第２補正手段と、
を備え、
前記補正対象の画素データに対し、前記第１補正手段及び前記第２補正手段の両方を順次適用する
ことを特徴とする画像処理装置。
【請求項７】
画像を鮮鋭化するために当該画像を構成する画素データを補正する補正手段と、
補正対象の画素データが表す色を検出する検出手段と、
を備え、
前記補正手段は、
前記補正対象の画素データを中心とする複数の画素データを取得し、当該取得した複数の画素データに第１フィルタ係数を持つラプラシアンフィルタを適用することにより第１補正値を取得し、当該第１補正値の絶対値が第１閾値以上の場合に、前記第１補正値に第１倍率を乗じて前記補正対象の画素データに加える第１補正手段と、
前記補正対象の画素データを中心とする複数の画素データを取得し、当該取得した複数の画素データのうち前記補正対象の画素データと同じ色を表す画素データの平均値を算出し、前記補正対象の画素データから当該平均値を引くことにより第２補正値を取得し、当該第２補正値の絶対値が前記第１閾値より小さい第２閾値以上の場合に、前記第２補正値に第２倍率を乗じて前記補正対象の画素データに加える第２補正手段と、
を備え、
前記補正対象の画素データに対し、前記第１補正手段及び前記第２補正手段の両方を順次適用する
ことを特徴とする画像処理装置。
【請求項８】
画像処理装置における画像処理方法であって、
前記画像処理装置の補正手段が、画像を鮮鋭化するために当該画像を構成する画素データを補正する補正工程と、
前記画像処理装置の検出手段が、補正対象の画素データが表す色を検出する検出工程と、
前記画像処理装置の判定手段が、前記補正対象の画素データが、近接する画素間で画素データが予め定められた程度以上に変動しているエッジ部の画素データであるか否かを判定する判定工程と、
を備え、
前記補正工程では、前記補正手段が、前記補正対象の画素データが前記エッジ部の画素データである場合は第１補正パラメータを用いて前記補正対象の画素データを補正し、そうでない場合は前記補正対象の画素データが表す色に基づいて決定される第２補正パラメータを用いて前記補正対象の画素データを補正する
ことを特徴とする画像処理方法。
【請求項９】
画像処理装置における画像処理方法であって、
前記画像処理装置の補正手段が、画像を鮮鋭化するために当該画像を構成する画素データを補正する補正工程と、
前記画像処理装置の検出手段が、補正対象の画素データが表す色を検出する検出工程と、
を備え、
前記補正工程は、
前記補正手段が、前記補正対象の画素データを中心とする複数の画素データを取得し、当該取得した複数の画素データに第１フィルタ係数を持つラプラシアンフィルタを適用することにより第１補正値を取得し、当該第１補正値の絶対値が第１閾値以上の場合に、前記第１補正値に第１倍率を乗じて前記補正対象の画素データに加える第１補正工程と、
前記補正手段が、前記補正対象の画素データを中心とする複数の画素データを取得し、当該取得した複数の画素データのうち前記補正対象の画素データと異なる色を表す画素データを前記補正対象の画素データに置換した後、当該複数の画素データに第２フィルタ係数を持つラプラシアンフィルタを適用することにより第２補正値を取得し、当該第２補正値の絶対値が前記第１閾値より小さい第２閾値以上の場合に、前記第２補正値に第２倍率を乗じて前記補正対象の画素データに加える第２補正工程と、
を備え、
前記補正手段が、前記補正対象の画素データに対し、前記第１補正工程及び前記第２補正工程の両方を順次実行する
ことを特徴とする画像処理方法。
【請求項１０】
画像処理装置における画像処理方法であって、
前記画像処理装置の補正手段が、画像を鮮鋭化するために当該画像を構成する画素データを補正する補正工程と、
前記画像処理装置の検出手段が、補正対象の画素データが表す色を検出する検出工程と、
を備え、
前記補正工程は、
前記補正手段が、前記補正対象の画素データを中心とする複数の画素データを取得し、当該取得した複数の画素データに第１フィルタ係数を持つラプラシアンフィルタを適用することにより第１補正値を取得し、当該第１補正値の絶対値が第１閾値以上の場合に、前記第１補正値に第１倍率を乗じて前記補正対象の画素データに加える第１補正工程と、
前記補正手段が、前記補正対象の画素データを中心とする複数の画素データを取得し、当該取得した複数の画素データのうち前記補正対象の画素データと同じ色を表す画素データの平均値を算出し、前記補正対象の画素データから当該平均値を引くことにより第２補正値を取得し、当該第２補正値の絶対値が前記第１閾値より小さい第２閾値以上の場合に、前記第２補正値に第２倍率を乗じて前記補正対象の画素データに加える第２補正工程と、
を備え、
前記補正手段が、前記補正対象の画素データに対し、前記第１補正工程及び前記第２補正工程の両方を順次実行する
ことを特徴とする画像処理方法。
【手続補正２】
【補正対象書類名】明細書
【補正対象項目名】００１６
【補正方法】変更
【補正の内容】
【００１６】
上記課題を解決するために、第１の本発明は、画像を鮮鋭化するために当該画像を構成する画素データを補正する補正手段と、補正対象の画素データが表す色を検出する検出手段と、前記補正対象の画素データが、近接する画素間で画素データが予め定められた程度以上に変動しているエッジ部の画素データであるか否かを判定する判定手段と、を備え、前記補正手段は、前記補正対象の画素データが前記エッジ部の画素データである場合は第１補正パラメータを用いて前記補正対象の画素データを補正し、そうでない場合は前記補正対象の画素データが表す色に基づいて決定される第２補正パラメータを用いて前記補正対象の画素データを補正することを特徴とする画像処理装置を提供する。
【手続補正３】
【補正対象書類名】明細書
【補正対象項目名】００１７
【補正方法】変更
【補正の内容】
【００１７】
また、第２の本発明は、画像を鮮鋭化するために当該画像を構成する画素データを補正する補正手段と、補正対象の画素データが表す色を検出する検出手段と、を備え、前記補正手段は、前記補正対象の画素データを中心とする複数の画素データを取得し、当該取得した複数の画素データに第１フィルタ係数を持つラプラシアンフィルタを適用することにより第１補正値を取得し、当該第１補正値の絶対値が第１閾値以上の場合に、前記第１補正値に第１倍率を乗じて前記補正対象の画素データに加える第１補正手段と、前記補正対象の画素データを中心とする複数の画素データを取得し、当該取得した複数の画素データのうち前記補正対象の画素データと異なる色を表す画素データを前記補正対象の画素データに置換した後、当該複数の画素データに第２フィルタ係数を持つラプラシアンフィルタを適用することにより第２補正値を取得し、当該第２補正値の絶対値が前記第１閾値より小さい第２閾値以上の場合に、前記第２補正値に第２倍率を乗じて前記補正対象の画素データに加える第２補正手段と、を備え、前記補正対象の画素データに対し、前記第１補正手段及び前記第２補正手段の両方を順次適用することを特徴とする画像処理装置を提供する。
【手続補正４】
【補正対象書類名】明細書
【補正対象項目名】００１８
【補正方法】変更
【補正の内容】
【００１８】
また、第３の本発明は、画像を鮮鋭化するために当該画像を構成する画素データを補正する補正手段と、補正対象の画素データが表す色を検出する検出手段と、を備え、前記補正手段は、前記補正対象の画素データを中心とする複数の画素データを取得し、当該取得した複数の画素データに第１フィルタ係数を持つラプラシアンフィルタを適用することにより第１補正値を取得し、当該第１補正値の絶対値が第１閾値以上の場合に、前記第１補正値に第１倍率を乗じて前記補正対象の画素データに加える第１補正手段と、前記補正対象の画素データを中心とする複数の画素データを取得し、当該取得した複数の画素データのうち前記補正対象の画素データと同じ色を表す画素データの平均値を算出し、前記補正対象の画素データから当該平均値を引くことにより第２補正値を取得し、当該第２補正値の絶対値が前記第１閾値より小さい第２閾値以上の場合に、前記第２補正値に第２倍率を乗じて前記補正対象の画素データに加える第２補正手段と、を備え、前記補正対象の画素データに対し、前記第１補正手段及び前記第２補正手段の両方を順次適用することを特徴とする画像処理装置を提供する。
【手続補正５】
【補正対象書類名】明細書
【補正対象項目名】００１９
【補正方法】変更
【補正の内容】
【００１９】
また、第４の本発明は、画像処理装置における画像処理方法であって、前記画像処理装置の補正手段が、画像を鮮鋭化するために当該画像を構成する画素データを補正する補正工程と、前記画像処理装置の検出手段が、補正対象の画素データが表す色を検出する検出工程と、前記画像処理装置の判定手段が、前記補正対象の画素データが、近接する画素間で画素データが予め定められた程度以上に変動しているエッジ部の画素データであるか否かを判定する判定工程と、を備え、前記補正工程では、前記補正手段が、前記補正対象の画素データが前記エッジ部の画素データである場合は第１補正パラメータを用いて前記補正対象の画素データを補正し、そうでない場合は前記補正対象の画素データが表す色に基づいて決定される第２補正パラメータを用いて前記補正対象の画素データを補正することを特徴とする画像処理方法を提供する。
【手続補正６】
【補正対象書類名】明細書
【補正対象項目名】００２０
【補正方法】変更
【補正の内容】
【００２０】
また、第５の本発明は、画像処理装置における画像処理方法であって、前記画像処理装置の補正手段が、画像を鮮鋭化するために当該画像を構成する画素データを補正する補正工程と、前記画像処理装置の検出手段が、補正対象の画素データが表す色を検出する検出工程と、を備え、前記補正工程は、前記補正手段が、前記補正対象の画素データを中心とする複数の画素データを取得し、当該取得した複数の画素データに第１フィルタ係数を持つラプラシアンフィルタを適用することにより第１補正値を取得し、当該第１補正値の絶対値が第１閾値以上の場合に、前記第１補正値に第１倍率を乗じて前記補正対象の画素データに加える第１補正工程と、前記補正手段が、前記補正対象の画素データを中心とする複数の画素データを取得し、当該取得した複数の画素データのうち前記補正対象の画素データと異なる色を表す画素データを前記補正対象の画素データに置換した後、当該複数の画素データに第２フィルタ係数を持つラプラシアンフィルタを適用することにより第２補正値を取得し、当該第２補正値の絶対値が前記第１閾値より小さい第２閾値以上の場合に、前記第２補正値に第２倍率を乗じて前記補正対象の画素データに加える第２補正工程と、を備え、前記補正手段が、前記補正対象の画素データに対し、前記第１補正工程及び前記第２補正工程の両方を順次実行することを特徴とする画像処理方法を提供する。
【手続補正７】
【補正対象書類名】明細書
【補正対象項目名】００２１
【補正方法】変更
【補正の内容】
【００２１】
また、第６の本発明は、画像処理装置における画像処理方法であって、前記画像処理装置の補正手段が、画像を鮮鋭化するために当該画像を構成する画素データを補正する補正工程と、前記画像処理装置の検出手段が、補正対象の画素データが表す色を検出する検出工程と、を備え、前記補正工程は、前記補正手段が、前記補正対象の画素データを中心とする複数の画素データを取得し、当該取得した複数の画素データに第１フィルタ係数を持つラプラシアンフィルタを適用することにより第１補正値を取得し、当該第１補正値の絶対値が第１閾値以上の場合に、前記第１補正値に第１倍率を乗じて前記補正対象の画素データに加える第１補正工程と、前記補正手段が、前記補正対象の画素データを中心とする複数の画素データを取得し、当該取得した複数の画素データのうち前記補正対象の画素データと同じ色を表す画素データの平均値を算出し、前記補正対象の画素データから当該平均値を引くことにより第２補正値を取得し、当該第２補正値の絶対値が前記第１閾値より小さい第２閾値以上の場合に、前記第２補正値に第２倍率を乗じて前記補正対象の画素データに加える第２補正工程と、を備え、前記補正手段が、前記補正対象の画素データに対し、前記第１補正工程及び前記第２補正工程の両方を順次実行することを特徴とする画像処理方法を提供する。